(57)【要約】【課題】入力部材の一方向の回転のみを出力部材に伝達することができ、かつ、出力部材の回転方向にかかわらず、この出力部材の回転が、入力部材に伝達されるのを防止できる、一方向クラッチを実現する。【解決手段】一方向クラッチ１ａを、入力部材７と、径方向内面に被押圧面１３を有する出力部材８と、係合子９とから構成する。係合子９は、入力部材７に所定方向の回転トルクが入力された場合にのみ、入力部材７との係合に基づき被押圧面１３に近づく方向に移動して出力部材８に回転トルクを伝達し、かつ、出力部材８に回転トルクが逆入力されても、出力部材８の回転方向にかかわらず、被押圧面１３に近づく方向には移動せず、入力部材７に回転トルクを伝達しない。【選択図】図１
2019027488.tif 000002
【特許請求の範囲】
【請求項１】
入力部材と、
該入力部材と同軸に配置され、その周面に被押圧面を有する出力部材と、
前記被押圧面に対向する押圧面を有し、前記入力部材に所定方向の回転トルクが入力された場合には、前記入力部材との係合に基づいて前記被押圧面に近づく方向に移動し、前記押圧面を前記被押圧面に押し付けて前記出力部材に回転トルクを伝達し、かつ、前記入力部材に前記所定方向とは反対方向の回転トルクが入力された場合には、前記入力部材との係合に基づいて前記被押圧面から離れる方向に移動し、前記押圧面を前記被押圧面から離隔させて前記出力部材に回転トルクを伝達せず、かつ、前記出力部材に回転トルクが逆入力された場合には、前記出力部材の回転方向にかかわらず、前記被押圧面に近づく方向には移動せず、前記入力部材に回転トルクを伝達しない、係合子と、
を備えた一方向クラッチ。
【請求項２】
前記被押圧面が円筒面状の凹面であり、前記押圧面が円筒面状の凸面である、請求項１に記載した一方向クラッチ。
【請求項３】
前記係合子が前記出力部材の径方向内側に複数備えられている、請求項１〜２のうちの何れか１項に記載した一方向クラッチ。
【請求項４】
前記被押圧面に対する前記係合子の遠近移動を案内するためのガイドが備えられている、請求項１〜３のうちの何れか１項に記載した一方向クラッチ。
【請求項５】
前記係合子が前記被押圧面から離れる方向に付勢されている、請求項１〜４のうちの何れか１項に記載した一方向クラッチ。
【発明の詳細な説明】
【技術分野】
【０００１】
本発明は、自転車の駆動部や各種機械の動力伝達装置に組み込まれる、一方向クラッチに関する。
【背景技術】
【０００２】
自転車は、運転者によってペダルに接続されたクランクが回転させられると、このクランクの回転が、ローラチェーンとスプロケットとを介して駆動輪に伝達されて前進する。競技用などを除き、一般的な自転車の駆動部には、一方向クラッチが組み込まれており、惰性走行時に、駆動輪の回転がクランクに伝達されて、クランクが回転することを防止している。
【０００３】
図８は、特開２０１５−１５８２５０号公報に記載された一方向クラッチを示している。一方向クラッチ１は、スプラグ式の一方向クラッチであり、入力部材である内方部材２と、出力部材である外方部材３と、それぞれが係合子である複数個のスプラグ４と、保持器５と、付勢ばね６とを備える。
【０００４】
外方部材３は、内方部材２の径方向外側に、内方部材２と同軸に配置されている。スプラグ４は、内方部材２の外周面と外方部材３の内周面との間の円筒状空間の円周方向複数個所に、保持器５により保持された状態で配置されている。付勢ばね６は、スプラグ４を、スプラグ４が内方部材２の外周面および外方部材３の内周面に対してかみ合う方向に付勢している。
【０００５】
スプラグ式の一方向クラッチ１では、内方部材２が、外方部材３に対して、図８に矢印Ｘ１で示す方向に回転すると、スプラグ４が図８に矢印α１で示す方向に揺動し、スプラグ４が内方部材２の外周面および外方部材３の内周面に対してかみ合ったロック状態となる。この結果、内方部材２から外方部材３へのトルク伝達が可能になる。すなわち、外方部材３が、内方部材２と同期してＸ１方向に回転する。
【０００６】
一方、内方部材２が、外方部材３に対して、図８に矢印Ｘ２で示す方向に回転すると、スプラグ４が図８に矢印α２で示す方向に揺動し、内方部材２の外周面および外方部材３の内周面に対するスプラグ４のかみ合いが外れたオーバラン状態となる。この結果、内方部材２から外方部材３へのトルク伝達が不能になる。すなわち、内方部材２が、外方部材３に対してＸ２方向に空転する。
【０００７】
また、外方部材３が、内方部材２に対してＸ１方向に回転すると、スプラグ４が、矢印α２の方向に揺動し、内方部材２の外周面および外方部材３の内周面に対するスプラグ４のかみ合いが外れたオーバラン状態となる。この結果、外方部材３から内方部材２へのトルク伝達が不能になる。すなわち、外方部材３は、内方部材２に対してＸ１方向に空転する。
【０００８】
このような一方向クラッチ１を自転車の駆動部に組み込む場合、クランクを内方部材２にトルク伝達可能に接続し、駆動輪を外方部材３にトルク伝達可能に接続する。この結果、クランクから駆動輪には、自転車を前進させる方向の回転のみが伝達され、前進させる方向とは反対方向にクランクを回転させても、この回転が駆動輪に伝達されることを防止できる。また、前進走行時に、運転者がペダルの回転動作を停止しても、駆動輪の回転がクランクに伝達されることを防止できる。
【０００９】
上述のような一方向クラッチ１では、外方部材３が、内方部材２に対して、Ｘ２方向に回転すると、スプラグ４が矢印α１の方向に揺動し、スプラグ４が内方部材２の外周面および外方部材３の内周面に対してかみ合ったロック状態になる。この結果、外方部材３から内方部材２へのトルク伝達が可能な状態になる。すなわち、内方部材２は、外方部材３と同期してＸ２方向に回転する。したがって、自転車を後方に押して後退させる際などに、駆動輪からクランクに回転が伝達される。自転車の後退時にクランクが回転すると、駐輪作業の邪魔になるなどの可能性がある。
【００１０】
なお、特開２００１−３４９３４７号公報には、二方向クラッチの構造が記載されている。二方向クラッチを使用すれば、出力部材の回転方向にかかわらず、この出力部材の回転が、入力部材に伝達されることを防止できる。ただし、特開２００１−３４９３４７号公報に記載された二方向クラッチは、入力部材の回転が、この入力部材の回転方向にかかわらず、出力部材に伝達される。このため、このような二方向クラッチを自転車の駆動部に組み込むと、自転車を前進させる方向とは反対方向にクランクを回転させた場合にも、この回転が駆動輪に伝達され、自転車が後退してしまう。
【先行技術文献】
【特許文献】
【００１１】
【特許文献１】特開２０１５−１５８２５０号公報
【特許文献２】特開２００１−３４９３４７号公報
【発明の概要】
【発明が解決しようとする課題】
【００１２】
本発明は、上述のような事情に鑑みて、入力部材の一方向の回転のみを出力部材に伝達することができ、かつ、出力部材の回転方向にかかわらず、この出力部材の回転が、入力部材に伝達されることを防止できる、一方向クラッチを実現することを目的としている。
【課題を解決するための手段】
【００１３】
本発明の一方向クラッチは、入力部材と、出力部材と、係合子と、を備えている。
前記出力部材は、前記入力部材と同軸に配置され、その周面に被押圧面を有する。
前記係合子は、前記被押圧面に対向する押圧面を有しており、前記入力部材に所定方向の回転トルクが入力された場合には、前記入力部材との係合に基づいて前記被押圧面に近づく方向に移動し、前記押圧面を前記被押圧面に当接させて前記出力部材に回転トルクを伝達し、かつ、前記入力部材に前記所定方向とは反対方向の回転トルクが入力された場合には、前記入力部材との係合に基づいて前記被押圧面から離れる方向に移動し、前記押圧面を前記被押圧面から離隔させて前記出力部材に回転トルクを伝達せず、かつ、前記出力部材に回転トルクが逆入力された場合には、前記出力部材の回転方向にかかわらず、前記被押圧面に近づく方向には移動せず、前記入力部材に回転トルクを伝達しない。
【００１４】
本発明では、前記被押圧面を円筒面状の凹面とし、前記押圧面を円筒面状の凸面とすることができる。
【００１５】
本発明では、前記係合子を、前記出力部材の径方向内側に複数備えることができる。
【００１６】
本発明では、前記被押圧面に対する前記係合子の遠近移動を案内するためのガイドを、別途備えることができる。
前記係合子を２個以上備える場合には、前記ガイドにより、前記２個以上の係合子を前記出力部材の径方向に相互に近接あるいは離間するように案内することができる。
【００１７】
本発明では、前記係合子を前記被押圧面から離れる方向に付勢することができる。このために、弾性部材を別途備えることができる。
【００１８】
本発明では、さらに次の構成を備えることができる。
前記入力部材は、入力側機構の出力部に接続された入力軸部と、入力軸部の一端面からそれぞれ伸長し、周方向に離隔して配置された入力係合凸部とを備える。
前記係合子は、前記出力部材の周方向に分割され、２個以上備えられており、２個以上のそれぞれの係合子は、前記入力係合凸部と係合する入力係合孔をさらに備え、前記出力部材の径方向に相互に近接あるいは離間可能に配置されている。
前記入力係合孔は、前記入力係合凸部が所定方向あるいは該所定方向とは反対方向のうちの一方に回転した場合には、前記２個以上の係合子のそれぞれを径方向外側に離間させる力が入力され、かつ、前記入力係合凸部が前記所定方向あるいは該所定方向とは反対方向のうちの他方に回転した場合には、前記２個以上の係合子のそれぞれを径方向内側に近接させる力が入力される位置に設けられている。
前記２個以上の係合子は、前記入力部材に所定方向の回転トルクが入力された場合には、前記入力係合凸部と前記入力係合孔との係合に基づき、前記出力部材に向けて径方向に移動し、前記押圧面と前記被押圧面とを当接させて、前記出力部材に回転トルクを伝達し、かつ、前記入力部材に前記所定方向とは反対方向の回転トルクが入力された場合には、前記入力係合凸部と前記入力係合孔との係合に基づき、前記出力部材から離れるように径方向に移動し、前記押圧面と前記被押圧面とを離隔させて、前記出力部材に回転トルクを伝達せず、かつ、前記出力部材に回転トルクが逆入力されても、前記出力部材の回転方向にかかわらず、前記被押圧面に近づく方向には移動せず、前記入力部材に回転トルクを伝達しない。
【発明の効果】
【００１９】
本発明によれば、入力部材の一方向の回転のみを出力部材に伝達することができ、かつ、出力部材の回転方向にかかわらず、この出力部材の回転が、入力部材に伝達されることを防止できる。
【図面の簡単な説明】
【００２０】
【図１】図１は、実施の形態の第１例の一方向クラッチを示す図である。
【図２】図２は、一方向クラッチから入力部材を取り出してその一部を示す斜視図である。
【図３】図３は、実施の形態の第１例の一方向クラッチに関して、入力部材に回転方向が時計方向の回転トルクが入力された状態を示す図である。
【図４】図４は、実施の形態の第１例の一方向クラッチに関して、入力部材に回転方向が反時計方向の回転トルクが入力された状態を示す図である。
【図５】図５は、実施の形態の第１例の一方向クラッチに関して、出力部材に回転トルクが逆入力された状態を示す図である。
【図６】図６は、実施の形態の第２例の一方向クラッチを示す、図１に相当する図である。
【図７】図７は、実施の形態の第３例の一方向クラッチを示す、図１に相当する図である。
【図８】図８は、従来構造の一方向クラッチを示す部分断面図である。
【発明を実施するための形態】
【００２１】
［実施の形態の第１例］
実施の形態の第１例について、図１〜図５を用いて説明する。
【００２２】
［一方向クラッチの構造の説明］
本例の一方向クラッチ１ａは、入力部材７と、出力部材８と、１対の係合子９と、ガイド１０とを備えている。
【００２３】
入力部材７は、自転車のクランクまたは電動モータなどの入力側機構に接続され、回転トルクが入力される。入力部材７は、入力軸部１１と、１対の入力係合凸部１２とを有している。入力軸部１１は、円柱状で、その基端部が前記入力側機構の出力部にトルク伝達可能に接続される。１対の入力係合凸部１２は、それぞれ円柱状で、入力軸部１１の先端面の径方向外側部の直径方向反対側２個所位置から軸方向に伸長している。１対の入力係合凸部１２は、入力部材７の周方向及び直径方向に互いに離隔している。図１及び図３〜図５には、１対の入力係合凸部１２のそれぞれの中心軸を通る仮想円を一点鎖線で示している。
【００２４】
出力部材８は、自転車のスプロケットまたは減速機構などの出力側機構に接続され、回転トルクを出力する。出力部材８は、円環状に構成されており、入力部材７と同軸に、かつ、入力部材７の径方向外側に配置されている。具体的には、一方向クラッチ１ａの組立状態で、出力部材８は、１対の入力係合凸部１２の径方向外側に配置される。出力部材８は、その内周面に円筒面状の凹面である被押圧面１３を有している。
【００２５】
係合子９は、出力部材８の径方向内側に配置され、出力部材８の周方向に２分割されるように２つ備えられている。１対の係合子はそれぞれ、中心角が１８０°の扇形、換言すれば略半円形板状に構成されており、被押圧面１３と対向する径方向外側面を円筒面状の凸面である押圧面１４とし、径方向内側面を平坦面状の底面１５としている。また、それぞれの係合子９の幅方向両側は、底面１５に対して直角な平坦面１６となっている。なお、係合子９に関して径方向とは、図１に矢印Ａで示した底面１５に対して直角な方向をいい、底面１５から押圧面１４への高さ方向に相当する。また、図１に矢印Ｂで示した底面１５に対して平行な方向を、係合子９に関して幅方向という。押圧面１４の曲率半径は、被押圧面１３の曲率半径よりも僅かに小さい。押圧面１４は、係合子９のその他の部分に比べて摩擦係数の大きい表面性状を有している。押圧面１４は、係合子９の表面によって直接構成してもよいし、係合子９に貼着や接着などにより固定した摩擦材によって構成してもよい。
【００２６】
本例では、１対の係合子９の押圧面１４を出力部材８の直径方向反対側に向け、かつ、１対の係合子９の底面１５を互いに対向させている。また、１対の係合子９を出力部材８の径方向内側に配置した状態で、被押圧面１３と押圧面１４との間、または底面１５同士の間に隙間が存在するように、出力部材８の内径寸法と係合子９の径方向寸法を規制している。このため、１対の係合子９は、出力部材８の径方向内側に、出力部材８の径方向に相互に近接あるいは離間可能に配置されている。
【００２７】
係合子９は、入力係合孔１７と案内スリット１８とを有している。入力係合孔１７は、係合子９の径方向中間部を軸方向に貫通し、かつ、幅方向に長い長円形状の長孔である。また、入力係合孔１７は、１対の係合子９を出力部材８の径方向内側に配置した状態で、それぞれの係合子９の幅方向中央部よりも反時計方向側に位置している。具体的には、図１の上側の係合子９では、入力係合孔１７は、幅方向中央部よりも左側に位置しており、図１の下側の係合子９では、入力係合孔１７は、幅方向中央部よりも右側に位置している。また、入力係合孔１７は、入力係合凸部１２を緩く挿入できる大きさを有している。具体的には、入力係合孔１７の内側に入力係合凸部１２を挿入した際に、入力係合凸部１２と入力係合孔１７の内面との間に、幅方向に関する十分な大きさの隙間が存在する。
【００２８】
入力係合孔１７の形成位置は、入力部材７の回転方向とトルク伝達の可否との関係で規制する。つまり、入力部材７の回転方向が、入力部材７から出力部材８に回転トルクを伝達させる方向である場合には、１対の係合子９にそれぞれ径方向外側に離間させる力が入力され、かつ、入力部材７の回転方向が、入力部材７から出力部材８に回転トルクを伝達させない方向である場合には、１対の係合子９にそれぞれ径方向内側に近接させる力が入力される位置を、入力係合孔１７の形成位置としている。このため、入力部材７が時計方向に回転した際に、入力部材７から出力部材８に回転トルクを伝達させるには、入力係合孔１７を係合子９の幅方向中央部よりも反時計方向側に位置させる。これに対し、入力部材７が反時計方向に回転した際に、入力部材７から出力部材８に回転トルクを伝達させるには、入力係合孔１７を係合子９の幅方向中央部よりも時計方向側に位置させる。
【００２９】
案内スリット１８は、１対の係合子９のそれぞれの底面１５の幅方向中央部から径方向外方に向けて伸長した矩形状のスリットである。１対の係合子９のそれぞれの底面１５を互いに対向させた状態で、１対の案内スリット１８を同一直線上に配置している。そして、ガイド１０を、これら１対の案内スリット１８を跨ぐように、その軸方向を係合子９の径方向に向けて配置している。ガイド１０は、円柱状または矩形柱状に構成されており、被押圧面１３に対する係合子９の遠近移動を案内する、つまり、１対の係合子９を出力部材８の径方向に相互に近接あるいは離間するように案内する。このため、ガイド１０は、案内スリット１８の内側に、がたつきなく、かつ、ガイド１０の軸方向に関する移動を可能に配置されている。案内スリット１８の径方向深さ寸法は、ガイド１０の軸方向寸法の１／２と同じか、これよりも少しだけ大きくなっている。このようなガイド１０を設けることで、１対の係合子９は、径方向の移動および同期した回転が可能でありながら、互いに相対回転したり、幅方向に相対移動したりすることが防止される。
【００３０】
本例の一方向クラッチ１ａは、その組立状態で、軸方向一方側に配置した入力部材７の１対の入力係合凸部１２を、１対の係合子９のそれぞれの入力係合孔１７に軸方向に挿入し、かつ、これら１対の係合子９を、軸方向他方側に配置した円環状の出力部材８の径方向内側に配置している。また、本例では、入力係合凸部１２の軸方向寸法、および、係合子９の軸方向寸法をそれぞれほぼ同じとしている。
【００３１】
［一方向クラッチの動作説明］
本例の一方向クラッチ１ａの動作について説明する。
まず、入力部材７に図１のＸ１方向（時計方向）の回転トルクが入力された場合を説明する。
入力部材７にＸ１方向の回転トルクが入力されると、入力係合凸部１２もＸ１方向に回転しようとする。これにより、図３に示すように、入力係合凸部１２が、入力係合孔１７の内面の径方向外端部を径方向外方に向けて押圧し、１対の係合子９を、被押圧面１３に近づく方向にそれぞれ移動させる。つまり、１対の係合子９を、入力部材７との係合に基づき、互いに離れる方向である径方向外方に（図３の上側に位置する係合子９を上方に、図３の下側に位置する係合子９を下方に）それぞれ移動させる。これにより、１対の係合子９のそれぞれの押圧面１４を、被押圧面１３に対して押し付ける。この結果、係合子９が入力係合凸部１２と出力部材８との間で突っ張り、入力部材７と出力部材８との相対回転が防止される。したがって、入力部材７に入力された回転トルクは、１対の係合子９を介して、出力部材８に伝達され、出力部材８から出力される。換言すれば、入力部材７と１対の係合子９とガイド１０と出力部材８とが、Ｘ１方向に同期して回転する。
【００３２】
次に、入力部材７に図１のＸ２方向（反時計方向）の回転トルクが入力された場合を説明する。
入力部材７にＸ２方向の回転トルクが入力されると、入力係合凸部１２もＸ２方向に回転しようとする。これにより、図４に示すように、入力係合凸部１２が、入力係合孔１７の内面の径方向内端部を径方向内方に向けて押圧し、１対の係合子９を、被押圧面１３から離れる方向にそれぞれ移動させる。つまり、１対の係合子９を、入力部材７との係合に基づき、互いに近づく方向である径方向内方に（図４の上側に位置する係合子９を下方に、図４の下側に位置する係合子９を上方に）それぞれ移動させる。この結果、押圧面１４と被押圧面１３との間に隙間が形成されるため、入力部材７に入力された回転トルクは、出力部材８に伝達されない。換言すれば、入力部材７と１対の係合子９とガイド１０とは、Ｘ２方向に同期して回転するが、出力部材８は静止したままになる。
【００３３】
最後に、出力部材８に回転トルクが逆入力された場合を説明する。
出力部材８と係合子９とは、入力部材７と係合子９とのように機械的に係合していないため、出力部材８が回転した場合にも、この出力部材８の回転方向にかかわらず、係合子９に、被押圧面１３に近づく方向の力が作用することはない。このため、図５に示すように、出力部材８に回転トルクが逆入力されても、この回転トルクは、入力部材７に伝達されない。換言すれば、出力部材８は、出力側機構から逆入力された回転トルクに対応した方向に空転し、入力部材７と１対の係合子９とガイド１０とは、静止したままになる。
【００３４】
以上の構成を有し、上述のように動作する本例の一方向クラッチ１ａによれば、入力部材７の一方向の回転のみを出力部材８に伝達することができ、かつ、出力部材８の回転方向にかかわらず、この出力部材８の回転が、入力部材７に伝達されることを防止できる。
すなわち、本例では、入力部材７の回転方向に応じて、係合子９の径方向に関する移動方向を変更可能としているため、入力部材７の一方向の回転のみを、出力部材８に伝達することができる。さらに、係合子９を、入力部材７との係合のみに基づいて、被押圧面１３に対する遠近移動である径方向に関する移動を可能としており、出力部材８の回転によっては、係合子９を径方向に移動させられないため、出力部材８の回転方向にかかわらず、この出力部材８の回転が、入力部材７に伝達されることを防止できる。
【００３５】
また、本例の一方向クラッチ１ａは、入力部材７の回転方向に応じて、係合子９の径方向に関する移動方向を変更できるため、入力部材７から出力部材８に回転トルクを伝達する状態と、入力部材７から出力部材８に回転トルクを伝達させない状態とを、部品点数の少ない簡易な構成により実現できる。
【００３６】
また、本例では、ガイド１０により１対の係合子９の幅方向に関する相対変位を制限しているため、入力係合凸部１２から係合子９に作用する力にかかわらず、１対の係合子９を幅方向に相対移動させずにすむ。したがって、１対の係合子９のそれぞれの姿勢を安定させることができ、かつ、１対の係合子９を、正確にかつスムーズに径方向に移動させることができる。
【００３７】
［実施の形態の第２例］
実施の形態の第２例について、図６を用いて説明する。本例の特徴は、入力部材７に回転トルクが入力されていない状態で、１対の係合子９の押圧面１４を、出力部材８の被押圧面１３から確実に離隔させる点にある。このために本例では、係合子９の幅方向両側の平坦面１６に、ピン状の係止部材１９をそれぞれ設けている。また、１対の係合子９の幅方向両側に、コイルばね状の１対の弾性部材２０を、１対の係合子９の径方向に伸長するように配置している。具体的には、弾性部材２０を弾性的に伸長させた状態で、弾性部材２０のそれぞれの端部を、１対の係合子９のそれぞれの係止部材１９に係止している。これにより、１対の係合子９に、被押圧面１３から離れる方向である径方向内方に向いた弾力を付与している。
【００３８】
以上のような構成を有する本例では、１対の弾性部材２０により、１対の係合子９が被押圧面１３から離れる方向に付勢されているため、入力部材７にＸ１方向の回転トルクが入力されない限り、押圧面１４と被押圧面１３との間に隙間が存在したままになる。このため、出力部材８に回転トルクが逆入力された際に、この出力部材８の回転が、係合子９を介して入力部材７に伝達されることを有効に防止できる。その他の構成および作用効果については、実施の形態の第１例と同様である。
【００３９】
［実施の形態の第３例］
実施の形態の第３例について、図７を用いて説明する。本例の特徴は、１対の係合子９ａ、９ｂのそれぞれの姿勢を安定させ、係合子９ａ、９ｂの径方向移動を正確に行わせる点にある。このために、本例では、一方（図７の上方）の係合子９ａの底面１５の幅方向中央部に、他方の係合子９ｂに向けて伸長した突起部２１を設けている。これに対し、他方（図７の下方）の係合子９ｂの底面１５の幅方向中央部に凹部２２を設けている。そして、１対の係合子９ａ、９ｂを出力部材８の径方向内側に配置した状態で、突起部２１を、凹部２２の内側にがたつきなく配置している。これにより、入力部材７の入力係合凸部１２から係合子９ａ、９ｂに作用する力にかかわらず、これら係合子９ａ、９ｂが幅方向に相対変位することを防止している。
【００４０】
本例では、実施の形態の第１例のように、別途ガイドを設ける必要がないため、部品点数の削減によるコスト低減を図れ、かつ、ガイドの組み付け忘れを防止できる。その他の構成および作用効果については、実施の形態の第１例と同様である。
【００４１】
一方向クラッチは、自転車の駆動部に好ましく適用できるほか、その他の各種機械の動力伝達装置に好ましく適用できる。
【００４２】
一方向クラッチを構成する係合子の数は、実施の形態の各例で示した２個に限らず、１個でもよいし、３個以上としてもよい。たとえば３個の係合子を備える場合には、前記３個の係合子のそれぞれを、中心角が約１２０°の扇形に構成することができ、４個の係合子を備える場合には、前記４個の係合子のそれぞれを、中心角が約９０°の扇形に構成することができる。また、入力部材と係合子との係合構造に関しても、実施の形態の各例で示した構造に限定されない。入力部材の回転を係合子の径方向移動に変換可能であれば、従来から知られた各種構造を採用できる。また、出力部材は、入力係合凸部の径方向外側に配置する構造に限らず、入力係合凸部の径方向内側に配置する構造を採用しても良い。この場合には、出力部材の外周面である円筒面状の凸面を被押圧面とし、係合子の押圧面を円筒面状の凹面とする。また、被押圧面に対する係合子の遠近移動を案内するためのガイドの数および構造に関しても、実施の形態の第１例および第２例で示した構造に限定されない。たとえば、断面Ｕ字形のガイドを２つ使用し、これら２つガイドにより、１対の係合子の径方向内端部を幅方向両側から挟み込む構造を採用することもできる。また、係合子を被押圧面から離れる方向に付勢するための弾性部材として、コイル状のばね以外に、板ばねやゴムなどを使用してもよい。
【符号の説明】
【００４３】
１、１ａ  一方向クラッチ
２    内方部材
３    外方部材
４    スプラグ
５    保持器
６    付勢ばね
７    入力部材
８    出力部材
９、９ａ、９ｂ  係合子
１０    ガイド
１１    入力軸部
１２    入力係合凸部
１３    被押圧面
１４    押圧面
１５    底面
１６    平坦面
１７    入力係合孔
１８    案内スリット
１９    係止部材
２０    弾性部材
２１    突起部
２２    凹部
【図１】
2019027488.tif 000003
【図２】
2019027488.tif 000004
【図３】
2019027488.tif 000005
【図４】
2019027488.tif 000006
【図５】
2019027488.tif 000007
【図６】
2019027488.tif 000008
【図７】
2019027488.tif 000009
【図８】
2019027488.tif 000010